(57)【特許請求の範囲】
【請求項１】
外壁開口部に固定される枠体と、この枠体内部に固定される固定障子とを備えたサッシ窓であって、
前記固定障子は、上框、下框、および左右の縦框と、これら上下左右の各框材で囲まれた内部に支持された面材とを有して構成され、
前記枠体および前記固定障子の框材のいずれか一方には、他方に設けられた受け部に係合して当該固定障子の移動を規制する固定手段が、当該枠体および框材の少なくとも一方によって室内側から隠蔽された位置において、前記受け部に係合する係合位置と係合しない非係合位置との間を移動自在に設けられ、
前記枠体および框材のいずれかの室内露出面には、通常使用時において閉塞部材で塞がれた操作孔が形成され、前記固定障子の着脱時において前記閉塞部材を取り外すことで、前記操作孔を介して前記固定手段が係合位置または非係合位置に移動操作可能に構成されたサッシ窓。
【請求項２】
前記固定手段は、前記固定障子の框材に沿ってスライド自在に支持されたスライド部材と、このスライド部材に固定されて前記受け部に係合可能な少なくとも１つの係合ピンと、前記スライド部材をスライド操作可能に前記操作孔の近傍位置に設けられた操作部とを有して構成され、
前記受け部は、前記固定手段が設けられた框材と対向する前記枠体に設けられている請求項１に記載のサッシ窓。
【請求項３】
前記固定手段の操作部は、前記スライド部材に固定されて前記操作孔側に延びる突片から構成され、
前記閉塞部材は、前記操作孔に貫入される貫入部を有して形成され、前記固定手段が係合位置にない状態において、前記貫入部が前記操作部に当接して当該閉塞部材が前記操作孔を閉塞不能に構成され、
前記貫入部には、前記固定手段が係合位置にある状態において、前記操作部に当接して当該固定手段の非係合位置への移動を規制する規制部が設けられている請求項２に記載のサッシ窓。
【請求項４】
前記固定手段の操作部は、前記スライド部材に固定された第１部材と、この第１部材に回動自在に連結された第２部材とを有して構成され、
前記第２部材は、一端が前記第１部材に連結される連結片部と、この連結片部の他端に連続して折れ曲がって前記操作孔から室内空間に突出可能な操作片部とを有して形成され、
前記第２部材の操作片部を前記操作孔に押し込むことで、前記第１部材を介して前記スライド部材がスライドされて前記係合ピンが前記受け部に係合され、この係合位置において、前記操作片部が前記枠体または框材に当接することで、当該固定手段が係合位置に維持されるとともに、前記操作片部を前記操作孔から室内側に引き出すことで、当該固定手段が非係合位置へ移動可能に構成された請求項２に記載のサッシ窓。
【請求項５】
前記固定手段の操作部は、前記枠体または框材に固定された第１部材と、この第１部材に回動自在に支持されて一端部が前記スライド部材に連結され他端部が前記操作孔側に延びる第２部材とを有して構成され、
前記第１部材および第２部材は、いずれか一方に設けられた支軸を他方に設けられた軸孔に挿通することで連結され、これらの支軸および軸孔には、当該固定手段が係合位置に位置した状態で前記第２部材の回動を規制する規制部が形成され、
前記他端部を操作して前記第２部材を回動させることで、当該第２部材の一端部を介して前記スライド部材がスライドされて前記係合ピンが前記受け部に係合され、この係合位置において、前記第１部材および第２部材における支軸および軸孔の規制部が当該第２部材の回動を規制することで、当該固定手段が係合位置に維持されるとともに、前記規制部の規制を解除することで、前記第２部材の回動規制が解除されて当該固定手段が非係合位置へ移動可能に構成された請求項２に記載のサッシ窓。
【請求項６】
前記操作孔は、前記固定障子の縦框下端部に形成され、前記閉塞部材は、前記縦框に沿って流れ落ちた結露水が室内側に流れることを防止する結露水受け部を有して構成されている請求項１から請求項５のいずれかに記載のサッシ窓。
【請求項７】
前記枠体は、上枠、下枠、および左右の縦枠を有した窓枠と、この窓枠の内部を上下および／または左右に仕切る横仕切り材および縦仕切り材のうち少なくとも一方とを有して構成されており、これらの仕切り材で仕切った枠体内部の区画のうちの少なくとも１つに前記固定障子が配置され、
前記固定障子は、前記上框および下框が前記上枠、下枠および横仕切り材のうちの互いに対向する二辺に位置決めされるとともに、前記左右の縦框に設けた前記固定手段が前記左右の縦枠および前記縦仕切り材のうちの互いに対向する二辺に設けた前記受け部に係合されて前記区画内に固定されている請求項１から請求項６のいずれかに記載のサッシ窓。
【請求項８】
前記枠体内部の区画のうち少なくとも１つの区画には、前記固定障子が配置されずに当該枠体に対して開閉自在に支持された可動障子が配置され、
前記可動障子は、前記固定障子の上下左右の各框材と共通の框材を有して構成されるとともに、閉鎖状態において前記固定障子と略同一の見込み位置に取り付けられている請求項７に記載のサッシ窓。
【発明の詳細な説明】
【技術分野】
【０００１】
本発明は、サッシ窓に関し、詳しくは、外壁開口部に固定される枠体と、この枠体内部に固定される固定障子とを備えたサッシ窓に関する。
【背景技術】
【０００２】
窓枠の内部に固定障子を固定して構成される嵌め殺し窓において、窓縦枠と障子の縦框とのビス止めを省略することで、部品点数や取付作業手間が削減可能かつ内観意匠性向上を目指した固定障子の取付構造が提案されている（例えば、特許文献１参照）。
特許文献１に記載された固定障子の取付構造は、窓下枠に固定障子の下框を位置決めし、窓上枠に固定した板ばね等からなる係合部材に固定障子の上框を係合させるとともに、係合部材の係合位置からの移動をビスや規制部材などで規制することで、窓枠に対して移動不能に固定障子を取り付けることができるようになっている。
【０００３】
【特許文献１】特開２００４−５２３１３号公報
【発明の開示】
【発明が解決しようとする課題】
【０００４】
しかしながら、前記特許文献１に記載の固定障子の取付構造では、係合部材の移動を規制するビスや規制部材などが窓上枠の室内側に露出し、室内側から見えるため、内観の意匠性を必ずしも十分に向上させることができないという問題がある。
また、ビスや規制部材などが室内側から操作可能になっているため、通常使用時において利用者がビスや規制部材を操作して固定障子の固定を解除してしまわないように、これらのビスや規制部材を操作不能にするカバー材や解除防止機構等を別途に設ける必要があり、部品点数が増加してしまったり、障子の着脱の作業が繁雑になってしまったりという不都合が生じることがある。
【０００５】
本発明の目的は、内観の意匠性に優れ、障子取付用部品点数および取付作業手間を十分に削減可能なサッシ窓を提供することにある。
【課題を解決するための手段】
【０００６】
本発明のサッシ窓は、外壁開口部に固定される枠体と、この枠体内部に固定される固定障子とを備えたサッシ窓であって、前記固定障子は、上框、下框、および左右の縦框と、これら上下左右の各框材で囲まれた内部に支持された面材とを有して構成され、前記枠体および前記固定障子の框材のいずれか一方には、他方に設けられた受け部に係合して当該固定障子の移動を規制する固定手段が、当該枠体および框材の少なくとも一方によって室内側から隠蔽された位置において、前記受け部に係合する係合位置と係合しない非係合位置との間を移動自在に設けられ、前記枠体および框材のいずれかの室内露出面には、通常使用時において閉塞部材で塞がれた操作孔が形成され、前記固定障子の着脱時において前記閉塞部材を取り外すことで、前記操作孔を介して前記固定手段が係合位置または非係合位置に移動操作可能に構成されていることを特徴とする。
【０００７】
このような本発明によれば、受け部に係合して固定障子を枠体に固定する固定手段を、室内側から操作孔を介してでなければ操作できない隠蔽された位置に設けたので、固定手段が室内側から見えずサッシ窓の内観意匠性を向上させることができる。
さらに、通常使用時において、操作孔を閉塞部材で塞いで固定手段を操作不能にしたことで、利用者が誤って固定手段を操作して固定障子を外してしまうようなことが防止できる。一方、固定障子の着脱時において、閉塞部材を取り外して固定手段を係合位置に移動させ、受け部に係合させるだけで固定障子を枠体に固定し、非係合位置に移動させることで固定障子を取り外すことができ、固定障子の取り付けや取り外しの作業を容易に実施することができる。そして、閉塞部材は、操作孔を塞ぐだけの簡単な構造でよいため、複雑な構造の部品や機構を別途設ける必要がなく、少ない部品点数にて上述のような効果を奏することができる。
【０００８】
この際、本発明のサッシ窓では、前記固定手段は、前記固定障子の框材に沿ってスライド自在に支持されたスライド部材と、このスライド部材に固定されて前記受け部に係合可能な少なくとも１つの係合ピンと、前記スライド部材をスライド操作可能に前記操作孔の近傍位置に設けられた操作部とを有して構成され、前記受け部は、前記固定手段が設けられた框材と対向する前記枠体に設けられていることが好ましい。
このような構成によれば、スライド部材、係合ピンおよび操作部を有して固定手段を構成したことで、スライド部材の長さ、つまり操作部と係合ピンとの間の距離を適宜設定することができ、例えば、操作部の近傍に設けられる操作孔を目立たない位置に設けるとともに、係合ピンおよび受け部を障子の固定に適した位置に設けるなど、各部の機能に応じて適切な部材配置が可能になる。この際、スライド部材に固定する係合ピンの数は、固定障子の大きさ等に応じて適宜設定可能であり、１つのスライド部材に対して２つ以上の係合ピンを固定した場合でも、これらの係合ピンをスライド部材で連動させて一度の操作で移動させることができ、障子の着脱作業が煩雑になることが防止できる。
【０００９】
さらに、本発明のサッシ窓では、前記固定手段の操作部は、前記スライド部材に固定されて前記操作孔側に延びる突片から構成され、前記閉塞部材は、前記操作孔に貫入される貫入部を有して形成され、前記固定手段が係合位置にない状態において、前記貫入部が前記操作部に当接して当該閉塞部材が前記操作孔を閉塞不能に構成され、前記貫入部には、前記固定手段が係合位置にある状態において、前記操作部に当接して当該固定手段の非係合位置への移動を規制する規制部が設けられていることが好ましい。
このような構成によれば、固定手段が係合位置にない状態、すなわち係合ピンと受け部とが係合せずに固定障子が固定されていない状態では、操作孔を塞ぐ位置（閉塞位置）まで閉塞部材の貫入部が貫入できないようになっているので、固定障子が非固定であることが容易に判別でき、固定手段が室内側から隠蔽されていても取付作業を確実に実施することができる。一方、固定手段が係合位置にあれば、貫入部を閉塞位置まで貫入することができ、この状態において、規制部が操作部である突片に当接することで固定手段の移動を規制することで、係合ピンと受け部との係合が外れることを防止して固定障子の取付状態が良好に維持できる。
【００１０】
また、本発明のサッシ窓では、前記固定手段の操作部は、前記スライド部材に固定された第１部材と、この第１部材に回動自在に連結された第２部材とを有して構成され、前記第２部材は、一端が前記第１部材に連結される連結片部と、この連結片部の他端に連続して折れ曲がって前記操作孔から室内空間に突出可能な操作片部とを有して形成され、前記第２部材の操作片部を前記操作孔に押し込むことで、前記第１部材を介して前記スライド部材がスライドされて前記係合ピンが前記受け部に係合され、この係合位置において、前記操作片部が前記枠体または框材に当接することで、当該固定手段が係合位置に維持されるとともに、前記操作片部を前記操作孔から室内側に引き出すことで、当該固定手段が非係合位置へ移動可能に構成されていてもよい。
このような構成によれば、固定手段の操作部を構成する第２部材の操作片部を操作孔に押し込むことで、固定手段を係合位置に移動させることができるとともに、操作片部を操作孔から引き出すことで固定手段を非係合位置に移動させることができ、固定障子の固定作業または固定解除作業を容易に実施することができる。さらに、固定手段が係合位置にある状態において、第２部材の操作片部が枠体または框材に当接することで、固定手段を係合位置に維持することができ、係合ピンと受け部との係合が外れることを防止して固定障子の取付状態が良好に維持できる。
【００１１】
さらに、本発明のサッシ窓では、前記固定手段の操作部は、前記枠体または框材に固定された第１部材と、この第１部材に回動自在に支持されて一端部が前記スライド部材に連結され他端部が前記操作孔側に延びる第２部材とを有して構成され、前記第１部材および第２部材は、いずれか一方に設けられた支軸を他方に設けられた軸孔に挿通することで連結され、これらの支軸および軸孔には、当該固定手段が係合位置に位置した状態で前記第２部材の回動を規制する規制部が形成され、前記他端部を操作して前記第２部材を回動させることで、当該第２部材の一端部を介して前記スライド部材がスライドされて前記係合ピンが前記受け部に係合され、この係合位置において、前記第１部材および第２部材における支軸および軸孔の規制部が当該第２部材の回動を規制することで、当該固定手段が係合位置に維持されるとともに、前記規制部の規制を解除することで、前記第２部材の回動規制が解除されて当該固定手段が非係合位置へ移動可能に構成されていてもよい。
このような構成によれば、固定手段の操作部を構成する第２部材の他端部を操作して第２部材を回動させることで、固定手段を係合位置に移動させることができるとともに、この状態において支軸および軸孔の規制部で第２部材の回動を規制することで、固定手段を係合位置に維持することができ、係合ピンと受け部との係合が外れることを防止して固定障子の取付状態が良好に維持できる。さらに、支軸および軸孔の規制部による規制を解除することで、固定手段を非係合位置に移動させることができる。
【００１２】
また、本発明のサッシ窓では、前記操作孔は、前記固定障子の縦框下端部に形成され、前記閉塞部材は、前記縦框に沿って流れ落ちた結露水が室内側に流れることを防止する結露水受け部を有して構成されていることが好ましい。
このような構成によれば、内観上、目立たない位置である縦框下端部に操作孔を形成し、この操作孔を閉塞部材で塞ぐことで、さらにサッシ窓の意匠性を向上させることができる。また、閉塞部材に結露水受け部を設ける、つまり結露受け部材と兼用することで、結露水受け部材を別体で設ける場合と比較して、部品点数をより一層削減することができる。さらに、結露水受け部を設けたことで、結露水が室内側に流れないようにでき、結露水による汚れの付着等を防止してサッシ窓の美観を維持することができる。
【００１３】
また、本発明のサッシ窓では、前記枠体は、上枠、下枠、および左右の縦枠を有した窓枠と、この窓枠の内部を上下および／または左右に仕切る横仕切り材および縦仕切り材のうち少なくとも一方とを有して構成されており、これらの仕切り材で仕切った枠体内部の区画のうちの少なくとも１つに前記固定障子が配置され、前記固定障子は、前記上框および下框が前記上枠、下枠および横仕切り材のうちの互いに対向する二辺に位置決めされるとともに、前記左右の縦框に設けた前記固定手段が前記左右の縦枠および前記縦仕切り材のうちの互いに対向する二辺に設けた前記受け部に係合されて前記区画内に固定されていることが好ましい。
このような構成によれば、固定障子の上框および下框を位置決めした状態で左右の縦框を固定手段および受け部で固定することで、固定障子の四周全てが枠体に支持されるため強固に固定することができる。さらに、固定障子の取り付け時および取り外し時において、固定手段を受け部に係合していなくても、上框および下框が枠体に位置決めされているので、固定障子を作業者が支持しておく必要がなく、取り付けや取り外しの作業性を一層向上させることができる。
【００１４】
この際、本発明のサッシ窓では、前記枠体内部の区画のうち少なくとも１つの区画には、前記固定障子が配置されずに当該枠体に対して開閉自在に支持された可動障子が配置され、前記可動障子は、前記固定障子の上下左右の各框材と共通の框材を有して構成されるとともに、閉鎖状態において前記固定障子と略同一の見込み位置に取り付けられていることが好ましい。
このような構成によれば、枠体内部の区画ごとに固定障子および可動障子を選択的に配置してサッシ窓を構成する場合に、固定障子と可動障子とで框材を共通化し、かつ略同一見込み位置に配置したことで、部品点数の削減を一層促進させることができるとともに、サッシ窓の意匠性をより一層良好にすることができる。そして、このように固定障子および可動障子で框材を共通化した場合において、前述のような固定手段と受け部とを有した固定障子の固定構造を採用したことで、框材や枠体に対する加工を必要最小限にすることができ、サッシ窓の製造コストを抑えつつ、意匠性や取付作業性を向上させることができる。
【発明を実施するための最良の形態】
【００１５】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングを省略する場合がある。
【００１６】
〔第１実施形態〕
図１は、本発明の第１実施形態に係るサッシ窓１０が設けられた建物の外壁１の開口部を示す縦断面図である。図２は、外壁１の開口部を示す横断面図である。
図１、２において、建物の外壁１は、外壁躯体としての木造軸組み工法による軸組み材２と、この軸組み材２の室外面に設けられた外壁仕上げ材である吹付けモルタル３と、軸組み材２の室内面に設けられた内壁材である石膏ボード４とを有して構成されている。そして、外壁１の開口部室内側には、開口端縁に沿って内装仕上げ材である木製の額縁材（ケーシング）５が四周連続して取り付けられている。
なお、外壁躯体としては、木造の軸組み材２に限らず、２×４工法における壁パネルや鉄筋コンクリート造の壁であってもよく、また、外壁仕上げ材は、吹付けモルタル３に限らず、予め板状に成形したセメント成形板や窯業系サイディング等を外壁躯体の室外面に取り付けたものでもよい。
【００１７】
サッシ窓１０は、外壁１の開口部に固定された上枠１１、下枠１２、および左右の縦枠１３からなる窓枠１４と、この窓枠１４の内部を上下左右に仕切る仕切り材としての無目（横仕切り材）１５および方立（縦仕切り材）１６とからなる枠体を備え、これらの無目１５および方立１６で仕切った窓枠１４内部の区画ごとに障子２０が設けられて構成されている。また、無目１５および方立１６の室内側側面には、それぞれ下地材１５１，１６１が固定されており、これらの下地材１５１，１６１に前述の額縁材５と同様の額縁材１５２，１６２が固定されている。このようにサッシ窓１０では、その上枠１１、下枠１２、縦枠１３の室内側側面と、無目１５および方立１６の室内側側面とが、それぞれ額縁材５と額縁材１５２，１６２とで覆われ（隠蔽され）て室内側から見えないようになっている。
【００１８】
障子２０は、窓枠１４の区画に固定された固定障子２０Ａと、窓枠１４の区画に開閉可能に支持された可動障子（外開き障子）２０Ｂとが、それぞれ仕切られた窓枠１４内部の区画ごとに選択的に配置され、可動障子２０Ｂの室内側には、収納式の網戸１７が設けられている。そして、固定障子２０Ａおよび可動障子２０Ｂは、それぞれ共通化された構成部材である上框２１、下框２２、左右の縦框２３と、これら上下左右の框材２１，２２，２３の内部に嵌め込んだガラスパネル２４とを有して形成されている。また、固定障子２０Ａおよび閉鎖状態の可動障子２０Ｂは、それぞれ窓枠１４に対して略同一の見込み位置に取り付けられている。このような固定障子２０Ａおよび可動障子２０Ｂの上框２１、下框２２、および縦框２３は、上枠１１、下枠１２、縦枠１３、無目１５、方立１６のいずれかの見込み方向室外側に重なって配置され、額縁材５や額縁材１５２，１６２によって室内側から隠蔽された隠し框となっている。
【００１９】
固定障子２０Ａは、その下框２２に固定したセッティングブロック２２１を下枠１２（または無目１５）上面に位置決めするとともに、無目１５（または上枠１１）に取り付けた板ばね２１１に上框２１を係止することで、窓枠１４内部の区画に建て込まれる。さらに、固定障子２０Ａは、後述する固定装置（固定手段）３０を構成する係合ピン３２が、方立１６（または縦枠１３）に固定した受け材（受け部）３５に係合することで、窓枠１４、無目１５および方立１６に対して移動不能に固定されるようになっている。このような固定障子２０Ａの上框２１を無目１５（または上枠１１）に設けた気密材１５３，１５４（または気密材１１１，１１２）に当接させ、下框２２を下枠１２（または無目１５）に設けた気密材１２１，１２２（または気密材１５３，１５４）に当接させ、縦框２３を方立１６（または縦枠１３）に設けた気密材１６３，１６４（または気密材１３１，１３２）に当接させることで、固定障子２０Ａにおける気密性および水密性が確保できるようになっている。
【００２０】
一方、可動障子２０Ｂは、その上框２１が上枠１１（または無目１５）にヒンジ２１２を介して連結されるとともに、下框２２が無目１５（または下枠１２）にヒンジ２２２を介して連結されることで、開閉自在に支持されている。そして、可動障子２０Ｂの一方の縦框２３に設けたハンドル２３３を操作することで、室外側に向かって開放可能かつ閉じた状態で施錠可能になっている。このような可動障子２０Ｂを閉じた状態において、その上框２１を上枠１１（または無目１５）に設けた気密材１１１，１１２（または気密材１５３，１５４）に当接させ、下框２２を無目１５（または下枠１２）に設けた気密材１５３，１５４（または気密材１２１，１２２）に当接させ、縦框２３を縦枠１３および方立１６に設けた気密材１３１，１３２，１６３，１６４に当接させることで、可動障子２０Ｂにおける気密性および水密性が確保できるようになっている。
【００２１】
次に、図３〜図７も参照してサッシ窓１０における固定障子２０Ａの固定構造および取付方法について詳しく説明する。
図３は、固定障子２０Ａの縦框２３および方立１６を拡大して示す横断面図である。図４は、固定障子２０Ａの固定装置３０を示す斜視図である。図５および図６は、それぞれ固定障子２０Ａの建て込み手順を示す縦断面図である。図７(Ａ)〜(Ｃ)は、固定障子２０Ａの固定方法を示す縦断面図である。
図３、４に示すように、固定障子２０Ａの固定装置３０は、縦框２３に沿って上下スライド自在に支持されたスライド部材３１と、このスライド部材３１に固定されて縦框２３の見付け方向外側に突出した係合ピン３２と、スライド部材３１の下部に固定されて縦框２３の見付け方向内側（操作孔２３１側）に延びる操作部としての突片３３とを有して構成されている。また、固定装置３０の縦框２３に対向する方立１６（または縦枠１３）の側面には、係合ピン３２と係合可能な受け材３５が固定されている。そして、縦框２３の見付け方向内側面の下端部には、固定装置３０の突片３３を操作するための操作孔２３１が形成されており、この操作孔２３１（図４参照）は、通常使用時において閉塞部材３６で塞がれるようになっている。
【００２２】
固定装置３０のスライド部材３１は、金属板材から長尺状に形成され、固定障子２０Ａの縦框２３に保持されている。係合ピン３２は、スライド部材３１における所定位置、すなわち固定障子２０Ａの高さ略中央の１箇所、あるいは固定障子２０Ａの高さを三分割した２箇所等、固定障子２０Ａの大きさに応じた適宜な位置に設けられている。そして、受け材３５は、係合ピン３２に対応した方立１６（または縦枠１３）の高さ位置に設けられている。なお、係合ピン３２に係合する受け部としては、方立１６や縦枠１３と別体に形成された受け材３５に限らず、方立１６や縦枠１３と一体の突出片から構成されていてもよい。また、突片３３は、金属板材から凹溝部を有して形成されており、閉塞部材３６を取り外した操作孔２３１を介して挿入したドライバー等の工具Ｔを凹溝部に引っ掛けて突片３３を上下操作することで、係合ピン３２が受け材３５に係合する係合位置と係合しない非係合位置との間をスライド部材３１および係合ピン３２が上下移動できるようになっている。以上のスライド部材３１、係合ピン３２、突片３３および受け材３５は、方立１６（または縦枠１３）の室内側側面部１６５で隠蔽され室内側から見えないようになっている。
【００２３】
閉塞部材３６は、樹脂製の一体成形部品であって、操作孔２３１に貫入される貫入部３６１と、この貫入部３６１を操作孔２３１に貫入した状態で縦框２３の側面に密接する結露水受け部３６２とを有して形成されている。結露水受け部３６２は、室外側に向かって下がる傾斜面を有して形成され、縦框２３に沿って流れ落ちた結露水を受けて室外側に流し、結露水が室内側に流れることを防止できるようになっている。また、閉塞部材３６は、スライド部材３１、係合ピン３２、突片３３が係合位置よりも下がった状態で操作孔２３１に貫入部３６１を貫入しようとした場合には、貫入部３６１の先端が突片３３の側面に当接するとともに、スライド部材３１、係合ピン３２、突片３３が係合位置にある状態で貫入部３６１を貫入すれば、貫入部３６１の上面が突片３３の下面に当接するようになっている。すなわち、貫入部３６１の上面には、規制部３６３が形成されており、この規制部３６３が突片３３に当接することによって、スライド部材３１、係合ピン３２、突片３３の下方（非係合位置）への移動が規制され、係合ピン３２と受け材３５との係合状態が維持できるようになっている。
【００２４】
次に、固定障子２０Ａの取付手順について説明する。
先ず、固定障子２０Ａの下框２２にセッティングブロック２２１を固定し、無目１５（または上枠１１）に板ばね２１１を固定しておき、図５に示すように、室外側からセッティングブロック２２１の突起を下枠１２（または無目１５）の上面の位置決め孔（不図示）に挿入して下框２２の位置決めを行う。これに続いて、セッティングブロック２２１を中心にして固定障子２０Ａの上框２１を室内側に回動させ、図６に示すように、板ばね２１１に係止させて上框２１の位置決めを行う。このように上框２１および下框２２を、それぞれ無目１５（または上枠１１）および下框１２（または無目１５）に位置決めした状態で、固定障子２０Ａの左右の縦框２３を縦枠１３および方立１６（または左右の方立１６）に固定装置３０を用いて固定する。
【００２５】
固定障子２０Ａの縦框２３の固定は、具体的には、図７(Ａ)〜(Ｃ)に示す手順で行う。
すなわち、先ず、図７(Ａ)に示すように、スライド部材３１、係合ピン３２、突片３３が下方に下がった非係合位置にある状態で、閉塞部材３６を取り外した操作孔２３１に工具Ｔを挿入し、突片３３の凹溝部に工具Ｔを引っ掛けてスライド部材３１、係合ピン３２、突片３３を上方に押し上げる。
次に、図７(Ｂ)に示すように、係合ピン３２が受け材３５に係合し始める位置までスライド部材３１を押し上げても、さらに押し上げ作業を続行する。つまり、図７(Ｂ)に示す状態では、係合ピン３２と受け材３５との係合が不十分であるため、この状態で押し上げ作業を止めて閉塞部材３６の貫入部３６１を操作孔２３１に貫入しようとしても、貫入部３６１の先端が突片３３の側面に当接し、閉塞部材３６が所定の閉塞位置（結露水受け部３６２が縦框２３の側面に密接する位置）まで押し込めないようになっている。
次に、図７(Ｃ)に示すように、係合ピン３２が受け材３５に係合する係合位置までスライド部材３１を押し上げた状態において、閉塞部材３６の貫入部３６１を操作孔２３１に貫入すると、貫入部３６１が突片３３の下方に挿入され、貫入部３６１の上面と突片３３の下面とが当接し、スライド部材３１、係合ピン３２、突片３３の下方への移動が規制されるようになっている。
【００２６】
以上のように係合ピン３２と受け材３５との係合状態を維持することで、固定障子２０Ａが窓枠１４に対して移動不能に固定されることとなる。
一方、固定障子２０Ａを窓枠１４から取り外す場合には、上述の手順とは逆に、閉塞部材３６を操作孔２３１から取り外してから、工具Ｔを突片３３に引っ掛けてスライド部材３１を下方に押し下げ、係合ピン３２と受け材３５との係合を外す。次に、上框２１に工具等を差し入れて板ばね２１１を押し上げ、上框２１の係止を外すことで、固定障子２０Ａを室外側に取り外すことができるようになっている。
【００２７】
このような本実施形態によれば、以下のような効果がある。
（１）すなわち、固定障子２０Ａを窓枠１４の縦枠１３や方立１６に固定する固定装置３０が方立１６（または縦枠１３）の室内側側面部１６５および額縁材１６２で隠蔽されているとともに、操作孔２３１も閉塞部材３６で塞がれているので、固定装置３０が室内側から見えずサッシ窓１０の内観意匠性を向上させることができる。
【００２８】
（２）そして、通常使用時において、操作孔２３１が閉塞部材３６で塞がれ、固定装置３０の突片３３が操作不能になっているので、利用者が誤って突片３３を操作して固定障子２０Ａを外してしまうようなことが防止できる。一方、固定障子２０Ａの着脱時において、閉塞部材３６を取り外して突片３３を操作し、係合ピン３２を係合位置に移動させて受け材３５に係合させるだけで、固定障子２０Ａを縦枠１３や方立１６に固定することができるとともに、非係合位置に移動させることで固定障子２０Ａを取り外すことができ、固定障子２０Ａの取り付けや取り外しの作業を容易に実施することができる。
【００２９】
（３）また、スライド部材３１、係合ピン３２および突片３３を有して固定装置３０が構成されているので、スライド部材３１の長さ寸法、つまり係合ピン３２の固定位置と突片３３との距離を適宜設定することができ、適切な部材配置が可能になる。さらに、長尺状に形成されたスライド部材３１に複数の係合ピン３２を固定すれば、スライド部材３１下部の突片３３を操作するだけで、複数の係合ピン３２を連動させることができる。
【００３０】
（４）また、係合ピン３２が受け材３５に係合していない状態では、突片３３の側面に貫入部３６１が当接して閉塞部材３６が閉塞位置まで貫入できないようになっているので、係合ピン３２が非係合（固定障子２０Ａが非固定）であることが容易に判別でき、取付作業を確実に実施することができる。一方、係合ピン３２が受け材３５に係合していれば、閉塞部材３６を閉塞位置まで貫入することができるとともに、貫入した貫入部３６１の規制部３６３によってスライド部材３１、係合ピン３２および突片３３の下方への移動を規制することで、係合ピン３２と受け材３５との係合が外れることを防止して固定障子２０Ａの取付状態が良好に維持できる。
【００３１】
（５）さらに、閉塞部材３６に結露水受け部３６２が設けられているので、結露水受け部材を別体で設ける場合と比較して、部品点数を削減することができるとともに、結露水受け部３６３によって縦框２３を流れ落ちた結露水が室内側に流れないようにでき、結露水による汚れの付着等を防止してサッシ窓１０の美観を維持することができる。
【００３２】
（６）また、固定障子２０Ａの上框２１が板ばね２１１に位置決めされ、下框２２がセッティングブロック２２１によって位置決めされた状態で、左右の縦框２３が固定装置３０で固定されているので、四周全てが窓枠１４や無目１５、方立１６に支持されて固定障子２０Ａを固定強度を高めることができる。さらに、固定障子２０Ａの取り付け時および取り外し時において、係合ピン３２が受け材３５から外れていても、上框２１および下框２２が位置決めされているので、固定障子２０Ａを作業者が支持しておく必要がなく、取り付けや取り外しの作業性を一層向上させることができる。
【００３３】
（７）また、固定障子２０Ａと可動障子２０Ｂとで框材２１，２２，２３が共通化され、かつ固定障子２０Ａおよび可動障子２０Ｂが略同一見込み位置に配置されているので、部品点数の削減を一層促進させることができるとともに、サッシ窓１０の意匠性をより一層良好にすることができる。さらに、固定障子２０Ａおよび可動障子２０Ｂの框材２１，２２，２３が額縁材５，１５２，１６２で隠蔽される隠し框となっているので、室内側からサッシ窓１０を見た場合に、金属製の框材２１，２２，２３が目立たず、格子状の額縁材５，１５２，１６２とガラスパネル２４とから構成されたような高級感のある内観を得ることができる。
【００３４】
〔第２実施形態〕
次に、本発明の第２実施形態について、図８および図９に基づいて説明する。
図８(Ａ)，(Ｂ)は、本発明の第２実施形態に係るサッシ窓における固定障子２０Ａの固定装置３０Ａを示す横断面図および側面図である。図９(Ａ)〜(Ｄ)は、固定障子２０Ａの固定方法および固定解除方法を示す縦断面図である。
第２実施形態において、サッシ窓の構成は、前記第１実施形態と略同様であり、固定装置３０Ａの構成、特に操作部３７の構成が前記第１実施形態の固定装置３０と相違している。以下、相違点について詳しく説明する。
【００３５】
固定装置３０Ａは、固定障子２０Ａの縦框２３にスライド自在に支持されたスライド部材３１と、スライド部材３１に固定された係合ピン３２と、縦框２３の操作孔２３１の近傍位置に設けられた操作部３７とを有して構成されている。操作部３７は、スライド部材の下端部に固定されて操作孔側に延びた第１部材３７１と、この第１部材３７１に回動自在に連結された第２部材３７２とを有して構成されている。そして、第２部材３７２は、一端が第１部材３７１に連結される連結片部３７３と、この連結片部３７３の他端に連続して折れ曲がった操作片部３７４とから全体Ｌ字形に形成されている。この第２部材３７２は、その連結片部３７３の一端部が第１部材３７１に設けられた連結孔３７５に係止されることで、第１部材３７１に対して回動自在に連結されている。また、第２部材３７２の操作片部３７４は、操作孔２３１から室内空間に突出可能になっているとともに、通常使用時には、閉塞部材３６で覆われて室内側から隠蔽されている。
【００３６】
以上の固定装置３０Ａの動作としては、図９(Ａ)に示すように、先ず、固定装置３０Ａが非係合位置にある状態では、操作片部３７４が操作孔２３１から室内空間に突出しており、この状態で操作片部３７４を下方に回動操作することで、第２部材３７２の折曲り部が下框２２に当接し、この位置を支点として梃子の作用により連結片部３７３の一端側が上方に移動する。そして、操作片部３７４を操作孔２３１に押し込むようにして回動操作を継続することで、図９(Ｂ)に示すように、連結片部３７３が略垂直に立ち上がり、この連結片部３７３に連結された第１部材３７１およびスライド部材３１が上方にスライド移動される。これにより、係合ピン３２が受け材３５に係合され、固定装置３０Ａが係合位置に移動されたこととなって固定障子２０Ａが窓枠１４に固定される。この状態において、第２部材３７２の操作片部３７４が下框２２の上面に当接することで、第１部材３７１およびスライド部材３１の下方（非係合位置）への移動が規制され、固定障子２０Ａの固定状態が維持される。
【００３７】
次に、固定障子２０Ａの固定を解除する場合には、図９(Ｃ)に示すように、第２部材３７２の操作片部３７４を操作孔２３１から室内側に引き出す方向かつ上方に回動操作することで、第１部材３７１およびスライド部材３１の下方への移動規制が外れ、固定装置３０Ａが非係合位置へ移動可能となる。この際、スライド部材３１が自重で下方にスライドする、あるいは第２部材３７２を下方に押し下げることで、図９(Ｄ)に示すように、固定装置３０Ａが非係合位置へ移動され、係合ピン３２と受け材３５との係合が外れ、固定障子２０Ａの固定が解除されるようになっている。
【００３８】
このような本実施形態によれば、前述の（１）〜（３）、（５）〜（７）と同様の効果に加えて以下のような効果がある。
（８）すなわち、第２部材３７２の操作片部３７４を操作孔２３１に押し込むように回動操作することで、固定装置３０Ａを係合位置に移動させることができるとともに、操作片部３７４を操作孔２３１から引き出すように回動操作することで、固定装置３０Ａを非係合位置に移動させることができ、固定障子２０Ａの固定作業または固定解除作業を容易に実施することができる。さらに、固定装置３０Ａが係合位置にある状態において、第２部材３７２の操作片部３７４が下框２２の上面に当接することで、固定装置３０Ａを係合位置に維持することができ、係合ピン３２と受け材３５との係合が外れることを防止して固定障子２０Ａの取付状態が良好に維持できる。
【００３９】
〔第３実施形態〕
次に、本発明の第２実施形態について、図１０および図１１に基づいて説明する。
図１０(Ａ)，(Ｂ)は、本発明の第３実施形態に係るサッシ窓における固定障子２０Ａの固定装置３０Ｂを示す横断面図および側面図である。図１１(Ａ)〜(Ｃ)は、固定障子２０Ａの固定方法を示す縦断面図である。
第３実施形態において、サッシ窓の構成は、前記第１、２実施形態と略同様であり、固定装置３０Ｂの構成、特に操作部３８の構成が前記第１、２実施形態の固定装置３０，３０Ａと相違している。以下、相違点について詳しく説明する。
【００４０】
固定装置３０Ｂは、固定障子２０Ａの縦框２３にスライド自在に支持されたスライド部材３１と、スライド部材３１に固定された係合ピン３２と、縦框２３の操作孔２３１の近傍位置に設けられた操作部３８とを有して構成されている。操作部３８は、縦框２３に固定された第１部材３８１と、この第１部材３８１に支持されて一端部（図１０(Ａ)の上端部、図１１の左端部）がスライド部材３１の切欠き３１１に連結され他端部が操作孔２３１側に延びる第２部材３８２とを有して構成されている。第１部材３８１には、第２部材を軸支する支軸３８３が設けられ、第２部材３８２には、支軸３８３に挿通される軸孔３８４が形成されており、第２部材３８２は、支軸３８３を中心に回動自在に支持されている。そして、軸孔３８４には、図１１(Ｂ)，(Ｃ)に示すように、第２部材３８２の一端部が上方に回動した状態で支軸３８３に係合可能、かつ支軸３８３に係合することで第２部材３８２の回動を規制する規制部としての拡径部３８５が形成されている。
【００４１】
以上の固定装置３０Ｂの動作としては、図１１(Ａ)に示すように、先ず、固定装置３０Ｂが非係合位置にある状態では、第２部材３８２の一端部が下方に位置しており、この状態で操作孔２３１から挿入した工具で第２部材３８２の他端部を下方に回動操作することで、第２部材３８２の一端部が上方に移動する。そして、第２部材３８２の回動操作を継続することで、図１１(Ｂ)に示すように、第２部材３８２の一端部に連結されたスライド部材３１が上方にスライド移動される。そして、軸孔３８４の拡径部３８５が第１部材３８１の支軸３８３上方に位置するまで第２部材３８２が回動操作される、すなわち固定装置３０Ｂが係合位置まで移動されると、図１１(Ｃ)に示すように、拡径部３８５が支軸３８３に嵌って第２部材３８２が若干下方に落下し、拡径部３８５と支軸３８３とが係合することとなる。この状態において、固定障子２０Ａが窓枠１４に固定されるとともに、第２部材３８２の回動が規制され、固定障子２０Ａの固定状態が維持されるようになっている。一方、固定障子２０Ａの固定を解除する場合には、操作孔２３１から挿入した工具で第２部材３８２の他端部を上方に押し上げることで、拡径部３８５と支軸３８３との係合が外れ、第２部材３８２が回動可能になって、スライド部材３１が自重で下方にスライドする、あるいは第２部材３８２の他端部を上方に押し上げて回動操作することで、固定装置３０Ｂが非係合位置へ移動され、固定障子２０Ａの固定が解除されるようになっている。
【００４２】
このような本実施形態によれば、前述の（１）〜（３）、（５）〜（７）と同様の効果に加えて以下のような効果がある。
（９）すなわち、第２部材３８２の他端部を操作して第２部材３８２を回動させることで、固定装置３０Ｂを係合位置に移動させることができるとともに、この状態において軸孔３８４の拡径部３８５が第１部材３８１の支軸３８３に係合して第２部材３８２の回動が規制されることで、固定装置３０Ｂを係合位置に維持することができ、固定障子２０Ａの取付状態が良好に維持できる。さらに、拡径部３８５と支軸３８３との係合を外して第２部材３８２の回動規制を解除することで、固定装置３０Ｂを非係合位置に移動させて固定障子２０Ａの固定を解除することができる。
【００４３】
なお、本発明は、前記実施形態に限定されるものではなく、本発明の目的を達成できる他の構成等を含み、以下に示すような変形等も本発明に含まれる。
例えば、前記実施形態のサッシ窓１０では、窓枠１４内部を無目１５および方立１６によって上下左右に仕切って枠体を構成したが、これに限らず、方立を省略して無目１５により窓枠１４内部を上下に仕切るだけでもよく、また無目を省略して方立１６により窓枠１４内部を左右に仕切るだけでもよい。
また、無目１５や方立１６で仕切った窓枠１４内部の各区画に設ける可動障子としては、開き形式のものに限らず、縦（横）辷り出し形式や突き出し形式、内（外）倒し形式等、任意の開閉形式の障子が採用可能である。さらに、１つの区画内に複数の可動障子を設けてもよく、例えば、２枚の障子を左右スライド自在に支持させて引違い窓を区画内に構成したり、障子を上下スライド自在に支持させて上げ下げ窓を区画内に構成したりすることも可能である。
【００４４】
また、前記実施形態では、固定障子２０Ａの縦框２３に沿って上下スライド自在に固定装置３０のスライド部材３１、係合ピン３２および突片３３が支持されていたが、これに限らず、スライド部材３１、係合ピン３２および突片３３が上框２１や下框２２に沿って左右にスライド自在に設けられていてもよい。さらに、スライド部材および係合ピンは、框材に交差する方向に移動可能に支持されていてもよく、例えば、係合ピンが框材から枠体に向かって突出する方向に突没自在に支持されていてもよい。また、操作孔２３１は、縦框２３の下端部に設けたものに限らず、方立１６や縦枠１３に設けられていてもよい。
さらに、前記実施形態では、固定装置３０のスライド部材３１、係合ピン３２および操作部３３，３７，３８が固定障子２０Ａ側に設けられ、受け材３５が方立１６や縦枠１３側に設けられていたが、これに限らず、スライド部材３１、係合ピン３２および操作部３３，３７，３８を方立１６や無目１５、窓枠１４側に設け、受け材３５を固定障子２０Ａ側に設けてもよい。
また、前記実施形態では、閉塞部材３６を樹脂製の一体成形部品としたが、閉塞部材は、樹脂製に限らず、アルミ合金等の金属製でもよく、また複数部材を組み合わせて形成された部材であってもよい。
【００４５】
また、前記実施形態では、固定障子２０Ａの上框２１を係止する板ばね２１１が無目１５や上枠１１に設けられ、下框２２のセッティングブロック２２１を先ず下枠１２や無目１５に位置決めしてから上框２１を位置決めするような建て込み手順が採用されていたが、図１２に示すような建て込み手順で固定障子２０Ａを取り付けてもよい。すなわち、固定障子２０Ａの上框２１に係止片２１３を設けておき、この係止片２１３を無目１５や上枠１１の挿通孔（不図示）に挿入して室外側への移動を規制してから、固定障子２０Ａ全体を若干上方に持ち上げながら下框２２のセッティングブロック２２１を下枠１２や無目１５の上面に載置するような、上下けんどん式の建て込み手順が採用可能である。このような建て込み手順は、固定障子２０Ａの全体寸法が大きい場合や重量が重い場合等に好適である。
【００４６】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４７】
【図１】本発明の第１実施形態に係るサッシ窓を示す縦断面図である。
【図２】前記サッシ窓を示す横断面図である。
【図３】前記サッシ窓における固定障子の固定構造を示す横断面図である。
【図４】前記固定障子の固定手段を示す斜視図である。
【図５】前記固定障子の建て込み手順を示す縦断面図である。
【図６】前記固定障子の建て込み手順を示す縦断面図である。
【図７】(Ａ)〜(Ｃ)は、前記固定障子の固定方法を示す縦断面図である。
【図８】(Ａ)，(Ｂ)は、本発明の第２実施形態に係るサッシ窓における固定障子の固定構造を示す横断面図および側面図である。
【図９】(Ａ)〜(Ｄ)は、前記固定障子の固定方法および固定解除方法を示す縦断面図である。
【図１０】(Ａ)，(Ｂ)は、本発明の第３実施形態に係るサッシ窓における固定障子の固定構造を示す横断面図および側面図である。
【図１１】(Ａ)〜(Ｃ)は、前記固定障子の固定方法を示す縦断面図である。
【図１２】本発明の変形例に係る固定障子の建て込み手順を示す縦断面図である。
【符号の説明】
【００４８】
１…外壁、１０…サッシ窓、１１…上枠、１２…下枠、１３…縦枠、１４…窓枠、１５…横仕切り材である無目、１６…縦仕切り材である方立、２０…障子、２０Ａ…固定障子、２０Ｂ…可動障子、２１…上框、２２…下框、２３…縦框、２４…面材であるガラスパネル、３０，３０Ａ，３０Ｂ…固定手段である固定装置、３１…スライド部材、３２…係合ピン、３３…操作部である突片、３５…受け部である受け材、３６…閉塞部材、３７，３８…操作部、２３１…操作孔、３６１…貫入部、３６２…結露水受け部、３６３…規制部、３７１…第１部材、３７２…第２部材、３７３…連結片部、３７４…操作片部、３８１…第１部材、３８２…第２部材、３８３…支軸、３８４…軸孔、３８５…規制部である拡径部。
【図１】
0004568678.tif 000002
【図２】
0004568678.tif 000003
【図３】
0004568678.tif 000004
【図４】
0004568678.tif 000005
【図５】
0004568678.tif 000006
【図６】
0004568678.tif 000007
【図７】
0004568678.tif 000008
【図８】
0004568678.tif 000009
【図９】
0004568678.tif 000010
【図１０】
0004568678.tif 000011
【図１１】
0004568678.tif 000012
【図１２】
0004568678.tif 000013